(57)【要約】【課題】人口密集地である都市部又は近隣農家が生産する農産物に対する弊害を除去するようにして自動車エンジン工場等に供給するアルミニユムの溶湯の生産移送を円滑で好適に行うことが出来るようにしたアルミニユムの溶湯製造装置体の提供。【解決手段】工場建屋全体を防音壁にて遮蔽すると共に屋外の音源となるエアーコンプレッサー２５は地下に埋設して遮蔽し、更に強制給気システムを導入して不良製品の防止並びに作業者に対する作業悪化の阻止及び被覆建物体１６の採用でアルミ溶解炉１３を全体を断熱材で囲い、騒音・作業者及び近隣に対する環境改善に勤め、人口密集地及び近隣農家が生産する農産物に対する弊害を極力除去すると共に自動車エンジン工場等に供給するアルミニユムの溶湯の移送を円滑に行うことが出来るようにしたことを特徴としている。【選択図】図５
2008161886.tif 000002
【特許請求の範囲】
【請求項１】
広い面積を有した四角状等のコンクリート床面部１の周縁部２に、内面に防音壁材層３を設けると共に外面に防水壁材層４を設けた壁面材層５を立設すると共に上端部に、内面に防音材層６を設けた屋根材層７を設けて内部に空間部８を有した建物体９を形成し、更に建物体９の正面壁１０の一方にアルミニユムの溶湯ポットの搬出入用トラックが出入できる第１開閉扉１１を設けると共に建物体９の正面壁１０の他方にアルミニユムのアルミ素材の搬入用トラックが出入できる第２開閉扉１２を設け、又更に建物体９の空間部８内にアルミニユムのアルミ素材を溶解するアルミ溶解炉１３をコンクリート床面部１に立設すると共に該アルミ溶解炉１３から発生する高温熱の断熱材層１４を備えた遮蔽材層１５をコンクリート床面部１に立設してアルミ溶解炉１３を被覆した被覆建物体１６を設け、且つ又被覆建物体１６にはアルミ溶解炉１３のアルミ素材投入開閉口に対応してアルミ素材搬入扉１７を設け、又コンクリート床面部１にはアルミニユムの溶湯ポットの搬出入用トラックが駐車してアルミニユムの溶湯ポットをトラック荷台に乗降させる溶湯ポット乗降床面部１８と、アルミ素材の搬入用トラックがアルミ素材搬入扉１７より侵入移動すと共にアルミ素材をトラック荷台より下ろしアルミ素材を載置できるアルミ素材関連床面部１９と、アルミ素材関連床面部１９に載置したアルミ素材をアルミ溶解炉１３のアルミ素材投入開閉口に投入できる作業者が乗車操作するアルミ素材投入車が移動できるアルミ素材投入車用床面部２０と、アルミ素材投入車用床面部２０に設けた溶湯ポットの予熱場２１より溶湯ポットをアルミ溶解炉１３の背面に備えた溶湯取出口２２より溶湯を溶湯ポットに収納することが出来ると共に溶湯ポットの予熱場２１より溶湯ポット乗降床面部１８との間を作業者が乗車操作する溶湯ポット移動車が移動できる溶湯ポット移動車床面部２３を設け、且つ又建物体９の室外に地下空間室部２４を形成し、該地下空間室部２４内にアルミ溶解炉１３内に送る都市ガスと空気とを混合させ燃焼させてるためのエアーコンプレッサー２５を備え、又更にアルミ溶解炉１３の天上部２６に排気孔２７を設けると共に該排気孔２７と建物体９の室外に設けた集塵機２８とを連通した排気ダクト２９を具備したことを特徴とするアルミニユムの溶湯製造装置体。
【請求項２】
コンクリート床面部１の表面に、アルミ溶解炉１３のアルミ素材投入開閉口に対応して設けたアルミ素材搬入扉１７の前方位置の表面幅部３０を除き床ペイントを塗着した塗料層３１を設けたことを特徴とする請求項１記載のアルミニユムの溶湯製造装置体。
【請求項３】
建物体９の屋根材層７に外気取入孔３２を設けると共に外気取入孔３２の一方に空間部８内に外気を噴出する外気噴出部３３を設けると共に他方にはアルミ素材搬入扉１７の前方上部に位置したエアカーテン装置３４と連通した空気ダクト３５を備えたことを特徴とする請求項１又は２記載のアルミニユムの溶湯製造装置体。
【請求項４】
被覆建物体１６に設けたアルミ素材搬入扉１７には外周には四角状金属製枠体３６を設け、又一方表裏に亘り縦方向に凹部凸部が連続した金属製屈曲板で表側金属製屈曲板３７と裏側金属製屈曲板３８とを形成すると共に表側金属製屈曲板３７と裏側金属製屈曲板３８とを四角状金属製枠体３６に溶着してアルミ素材搬入扉１７を形成したことを特徴とする請求項１記載のアルミニユムの溶湯製造装置体。
【発明の詳細な説明】
【技術分野】
【０００１】
この発明は、工場建屋全体を防音壁にて遮蔽すると共に屋外の音源となるエアーコンプレッサーは地下に埋設して遮蔽し、更に強制給気システムを導入して強火力によるアルミニユムの溶湯の不良製品の防止並びに作業者に対する作業悪化の阻止及び被覆建物体を介して被覆した溶解炉の採用で炉全体を断熱材で囲い、燃焼音又は作業時のもろもろの騒音等により作業者及び近隣に対する環境の悪化の改善に勤め、人口密集地及び近隣農家が生産する農産物に対する弊害を極力除去すると共に自動車エンジン工場等に供給するアルミニユムの溶湯の移送を円滑で好適に行うことが出来るアルミニユムの溶湯製造装置体に関するもである。
【背景技術】
【０００２】
従来、市町村では緑豊かで環境と共生するまち、元気で幸せに暮らせるまち、快適で魅力のあるまち、活力ある産業を育てるまち、人を育成文化を創造するまち、安全で生活しやすいまちをめざしているものである。
よって、自動車エンジン工場等に供給するアルミニユムの溶湯の生産移送を円滑で好適に行うことが出来るアルミニユムの溶湯製造装置体を、立設することは極めて困難であった。
即ち、アルミ溶解炉は従来から
【特許文献１】特開２００１−１６５５７８号公報等によって知られているが前記した市町村の要望事項を解決することは極めて難しい事項であった。
【０００３】
ところでこの発明は前記した問題点を解決したものであつて、人口密集地である都市部又は近隣農家が生産する農産物に対する弊害を除去するようにして自動車エンジン工場等に供給するアルミニユムの溶湯の生産移送を円滑で好適に行うことが出来るようにしたものである。
【発明の開示】
【発明が解決しようとする課題】
【０００４】
この発明は上記の問題点を解決したもので、
アルミニユムの溶湯製造装置体を得ることを目的としたものである。
【課題を解決するための手段】
【０００５】
上記の目的を達成するためこの発明は、広い面積を有した四角状等のコンクリート床面部１の周縁部２に、内面に防音壁材層３を設けると共に外面に防水壁材層４を設けた壁面材層５を立設すると共に上端部に、内面に防音材層６を設けた屋根材層７を設けて内部に空間部８を有した建物体９を形成し、更に建物体９の正面壁１０の一方にアルミニユムの溶湯ポットの搬出入用トラックが出入できる第１開閉扉１１を設けると共に建物体９の正面壁１０の他方にアルミニユムのアルミ素材の搬入用トラックが出入できる第２開閉扉１２を設け、又更に建物体９の空間部８内にアルミニユムのアルミ素材を溶解するアルミ溶解炉１３をコンクリート床面部１に立設すると共に該アルミ溶解炉１３から発生する高温熱の断熱材層１４を備えた遮蔽材層１５をコンクリート床面部１に立設してアルミ溶解炉１３を被覆した被覆建物体１６を設け、且つ又被覆建物体１６にはアルミ溶解炉１３のアルミ素材投入開閉口に対応してアルミ素材搬入扉１７を設け、又コンクリート床面部１にはアルミニユムの溶湯ポットの搬出入用トラックが駐車してアルミニユムの溶湯ポットをトラック荷台に乗降させる溶湯ポット乗降床面部１８と、アルミ素材の搬入用トラックがアルミ素材搬入扉１７より侵入移動すと共にアルミ素材をトラック荷台より下ろしアルミ素材を載置できるアルミ素材関連床面部１９と、アルミ素材関連床面部１９に載置したアルミ素材をアルミ溶解炉１３のアルミ素材投入開閉口に投入できる作業者が乗車操作するアルミ素材投入車が移動できるアルミ素材投入車用床面部２０と、アルミ素材投入車用床面部２０に設けた溶湯ポットの予熱場２１より溶湯ポットをアルミ溶解炉１３の背面に備えた溶湯取出口２２より溶湯を溶湯ポットに収納することが出来ると共に溶湯ポットの予熱場２１より溶湯ポット乗降床面部１８との間を作業者が乗車操作する溶湯ポット移動車が移動できる溶湯ポット移動車床面部２３を設け、且つ又建物体９の室外に地下空間室部２４を形成し、該地下空間室部２４内にアルミ溶解炉１３内に送る都市ガスと空気とを混合させ燃焼させてるためのエアーコンプレッサー２５を備え、又更にアルミ溶解炉１３の天上部２６に排気孔２７を設けると共に該排気孔２７と建物体９の室外に設けた集塵機２８とを連通した排気ダクト２９を具備したものである。
【０００６】
又、コンクリート床面部１の表面に、アルミ溶解炉１３のアルミ素材投入開閉口に対応して設けたアルミ素材搬入扉１７の前方位置の表面幅部３０を除き床ペイントを塗着した塗料層３１を設けたものである。
【０００７】
又、建物体９の屋根材層７に外気取入孔３２を設けると共に外気取入孔３２の一方に空間部８内に外気を噴出する外気噴出部３３を設けると共に他方にはアルミ素材搬入扉１７の前方上部に位置したエアカーテン装置３４と連通した空気ダクト３５を備えたものである。
【０００８】
又、被覆建物体１６に設けたアルミ素材搬入扉１７には外周には四角状金属製枠体３６を設け、又一方表裏に亘り縦方向に凹部凸部が連続した金属製屈曲板で表側金属製屈曲板３７と裏側金属製屈曲板３８とを形成すると共に表側金属製屈曲板３７と裏側金属製屈曲板３８とを四角状金属製枠体３６に溶着してアルミ素材搬入扉１７を形成したものである。
【発明の効果】
【０００９】
この発明は以上のような構成であり、広い面積を有した四角状等のコンクリート床面部１の周縁部２に、内面に防音壁材層３を設けると共に外面に防水壁材層４を設けた壁面材層５を立設すると共に上端部に、内面に防音材層６を設けた屋根材層７を設けて内部に空間部８を有した建物体９を形成したことによって建物体９即ち工場内に於ける騒音が外部にもれることを阻止して２４時間作業に伴う騒音を少なくして周囲の障害にならないようにしたものである。
【００１０】
又、建物体９の正面壁１０の一方にアルミニユムの溶湯ポットの搬出入用トラックが出入できる第１開閉扉１１を設けると共に建物体９の正面壁１０の他方にアルミニユムのアルミ素材の搬入用トラックが出入できる第２開閉扉１２を設けたことによって、第１開閉扉１１はアルミニユムの溶湯ポットの搬出入用トラックが出入する際のみ開閉し、又第２開閉扉１２はアルミニユムのアルミ素材の搬入用トラックが出入する際のみ開閉することによって普段は第１開閉扉１１及び第２開閉扉１２は閉じられていることによって建物体９即ち工場内に於ける騒音が外部にもれることを極力阻止されているものでぁる。
【００１１】
又、建物体９の空間部８内にアルミニユムのアルミ素材を溶解するアルミ溶解炉１３をコンクリート床面部１に立設すると共に該アルミ溶解炉１３から発生する高温熱の断熱材層１４を備えた遮蔽材層１５をコンクリート床面部１に立設してアルミ溶解炉１３を被覆した被覆建物体１６を設けたことによってアルミ溶解炉１３から発生する高温熱が建物体９の空間部８内に放散を少なくして建物体９の空間部８内で作業する作業者に対する熱被害を極力すくなくして作業者の疲労が阻止されるものでぁる。
【００１２】
又、被覆建物体１６にはアルミ溶解炉１３のアルミ素材投入開閉口に対応してアルミ素材搬入扉１７を設け、又コンクリート床面部１にはアルミニユムの溶湯ポットの搬出入用トラックが駐車してアルミニユムの溶湯ポットをトラック荷台に乗降させる溶湯ポット乗降床面部１８と、アルミ素材の搬入用トラックがアルミ素材搬入扉１７より侵入移動すと共にアルミ素材をトラック荷台より下ろしアルミ素材を載置できるアルミ素材関連床面部１９と、アルミ素材関連床面部１９に載置したアルミ素材をアルミ溶解炉１３のアルミ素材投入開閉口に投入できる作業者が乗車操作するアルミ素材投入車が移動できるアルミ素材投入車用床面部２０と、アルミ素材投入車用床面部２０に設けた溶湯ポットの予熱場２１より溶湯ポットをアルミ溶解炉１３の背面に備えた溶湯取出口２２より溶湯を溶湯ポットに収納することが出来ると共に溶湯ポットの予熱場２１より溶湯ポット乗降床面部１８との間を作業者が乗車操作する溶湯ポット移動車が移動できる溶湯ポット移動車床面部２３を設けたことによって建物体９の第１開閉扉１１を介してのアルミニユムの溶湯ポットの搬出入用トラックの溶湯ポット乗降床面部１８への駐車時及びアルミ素材の搬入用トラックを第２開閉扉１２より入室移動すと共にアルミ素材をトラック荷台より下ろしアルミ素材を載置できるアルミ素材関連床面部１９より移動させた後はアルミ素材の搬入用トラックを第２開閉扉１２より建物体９の外に移送後である溶湯ポットの搬出入用トラック及びアルミ素材の搬入用トラックの出入時以外は第１開閉扉１１と第２開閉扉１２を閉じることによって建物体９内での作業音であるもろもろの騒音が外部にもれること無く、昼夜を問わず２４時間の作業を支障なく行うことができるものである。
【００１３】
又、建物体９の室外に地下空間室部２４を形成し、該地下空間室部２４内にアルミ溶解炉１３内に送る都市ガスと空気とを混合させ燃焼させてるためのエアーコンプレッサー２５を備えたことによってエアーコンプレッサー２５より発生する高音は地下空間室部２４内のみに止どまり野外にもれることがなく、２４時間運転の騒音は夜間においても近隣住民に迷惑となることがなく工場施設のメリット即ち近隣住民の働き口をより多く確保することができるものである。
【００１４】
又、アルミ溶解炉１３の天上部２６に排気孔２７を設けると共に該排気孔２７と建物体９の室外に設けた集塵機２８とを連通した排気ダクト２９を具備したものであるのでアルミ溶解炉１３内で発生する塵埃と建物体９の内部で発生する塵埃をもアルミ素材をアルミ溶解炉１３のアルミ素材投入開閉口に投入する作業者が乗車操作するアルミ素材投入車の運転時にアルミ溶解炉１３のアルミ素材投入開閉口を介して吸引されるものであり、集塵機２８は又更に高熱の排気も上空に排出されるので近隣住民の生活環境に異変を起こすことがなく好適である。
【００１５】
又、コンクリート床面部１の表面に、アルミ溶解炉１３のアルミ素材投入開閉口に対応して設けたアルミ素材搬入扉１７の前方位置の表面幅部３０を除き床ペイントを塗着した塗料層３１を設けたものである。即ち、コンクリート床面部１の上面にはアルミニユムの溶湯ポットの搬出入用トラック、アルミニユムのアルミ素材の搬入用トラック、作業者が乗車操作するアルミ素材投入車及び作業者が乗車操作する溶湯ポット移動車が走り回るものであるが、その際に各車のタイヤはコンクリート床面部１との摩滅によって塵埃が発生するものであるが、この発明ではコンクリート床面部１の上面に床ペイントを塗着した塗料層３１を設けたことによってタイヤの摩滅による塵埃が発生を押さえて作業者の健康衛生上極めて好適である。ところで、コンクリート床面部１の表面で、アルミ溶解炉１３のアルミ素材投入開閉口に対応して設けたアルミ素材搬入扉１７の前方位置の表面幅部３０は作業者が乗車操作するアルミ素材投入車でアルミ溶解炉１３のアルミ素材投入開閉口にアルミ素材を投入する際にアルミニユムの溶湯が飛び散ってコンクリート床面部１の上面に床ペイントを塗着した塗料層３１を設け場合は塗料層３１が焼損されてかえって塵埃が発生し、更に塗料層３１が無駄になるものである。よってコンクリート床面部１の表面で、アルミ溶解炉１３のアルミ素材投入開閉口に対応して設けたアルミ素材搬入扉１７の前方位置の表面幅部３０を除き床ペイントを塗着した塗料層３１を設けたものである。
【００１６】
又、建物体９の屋根材層７に外気取入孔３２を設けると共に外気取入孔３２の一方に空間部８内に外気を噴出する外気噴出部３３を設けたことによって建物体９ので作業する作業者に対する空気供給を充分に行い、更に建物体９の屋根材層７に外気取入孔３２を設けると共に他方にはアルミ素材搬入扉１７の前方上部に位置したエアカーテン装置３４と連通した空気ダクト３５を備えたことによってこのエアカーテン装置３４はアルミ素材搬入扉１７よりの作業者に対する熱気の照射を遮り作業者が無理なくアルミ溶解炉１３のアルミ素材投入開閉口に対応してアルミ素材搬入を行うことができるものである。
【００１７】
又、アルミ溶解炉１３を被覆した被覆建物体１６に設けたアルミ素材搬入扉１７には外周には四角状金属製枠体３６を設け、又一方表裏に亘り縦方向に凹部凸部が連続した金属製屈曲板で表側金属製屈曲板３７と裏側金属製屈曲板３８とを形成すると共に表側金属製屈曲板３７と裏側金属製屈曲板３８とを四角状金属製枠体３６に溶着してアルミ素材搬入扉１７を形成したことによってアルミ溶解炉１３より発生する熱によるアルミ素材搬入扉１７の変形を阻止して長期に亘りアルミ素材搬入扉１７の開閉を円滑に行うことができるとともに被覆建物体１６によるアルミ溶解炉１３からの断熱を適格に助長して作業者に対する悪影響を排除したものである。
【００１８】
以上のようにこの発明は工場建屋全体を防音壁にて遮蔽すると共に屋外の音源となるエアーコンプレッサーは地下に埋設して遮蔽し、更に強制給気システムを導入して強火力によるアルミニユムの溶湯の不良製品の防止並びに作業者に対する作業悪化の阻止及びアルミ溶解炉１３を被覆した被覆建物体１６の採用でアルミ溶解炉１３全体を断熱材で囲い、高熱による作業者への悪影響を防止し、更に騒音等にょる作業者及び近隣に対する環境改善に勤め、人口密集地及び近隣農家が生産する農産物に対する弊害を極力除去すると共に自動車エンジン工場等に供給するアルミニユムの溶湯の移送を円滑で好適に行うことが出来る等の産業的効果を奏したもである。
【発明を実施するための最良の形態】
【００１９】
以下、この発明の実施の形態を図１〜図１７に基いて説明する。
【実施例１】
【００２０】
この発明は広い面積を有した四角状等のコンクリート床面部１の周縁部に、内面に防音壁材層３を設けると共に外面に防水壁材層４を設けた壁面材層５を立設すると共に上端部に、内面に防音材層６を設けた屋根材層７を設けて内部に空間部８を有した建物体９を形成し、更に建物体９の正面壁１０の一方にアルミニユムの溶湯ポット（図示せず）の搬出入用トラック（図示せず）が出入できる第１開閉扉１１及び第１補助開閉扉４５を設けると共に建物体９の正面壁１０の他方にアルミニユムのアルミ素材（図示せず）の搬入用トラックが出入できる第２開閉扉１２を設け、又更に建物体９の空間部８内にアルミニユムのアルミ素材を溶解するアルミ溶解炉１３の３機をコンクリート床面部１に立設すると共に該アルミ溶解炉１３から発生する高温熱の断熱材層１４を備えた遮蔽材層１５をコンクリート床面部１に立設して３機のアルミ溶解炉１３の全体を被覆した被覆建物体１６を設け、且つ又被覆建物体１６には夫々のアルミ溶解炉１３のアルミ素材投入開閉口（図示せず）に対応して夫々のアルミ素材搬入扉１７、１７、１７を設け、又コンクリート床面部１にはアルミニユムの溶湯ポットの搬出入用トラックが駐車してアルミニユムの溶湯ポットをトラック荷台に乗降させる溶湯ポット乗降床面部１８と、アルミ素材の搬入用トラックがアルミ素材搬入扉１７より侵入移動すと共にアルミ素材をトラック荷台より下ろしアルミ素材を載置できるアルミ素材関連床面部１９と、アルミ素材関連床面部１９に載置したアルミ素材をアルミ溶解炉１３のアルミ素材投入開閉口に投入できる作業者が乗車操作するアルミ素材投入車（図示せず）が移動できるアルミ素材投入車用床面部２０と、アルミ素材投入車用床面部２０に設けると共に電気又はガスを熱源とした溶湯ポットの予熱場２１より保温された溶湯ポットを取出し、更にアルミ溶解炉１３の背面に備えた溶湯取出口２２より溶湯を溶湯ポットに収納することが出来ると共に溶湯ポットの予熱場２１より溶湯ポット乗降床面部１８との間を作業者が乗車操作する溶湯ポット移動車（図示せず）が移動できる溶湯ポット移動車床面部２３を設け、且つ又建物体９の室外にハシゴ取付部４０を介して鉄扉４２を開閉し出入るできると共に天井面に土地層４３と空気取入部４１を備えた地下空間室部２４を形成し、該地下空間室部２４内にアルミ溶解炉１３内に燃焼ガス取入孔４６をかいして送る都市ガスと空気とを混合させた高圧燃焼ガスを生成させてるためのエアーコンプレッサー２５を備え、又更にアルミ溶解炉１３の天上部２６に排気孔２７を設けると共に該排気孔２７と建物体９の室外に設けた集塵機２８とを連通した排気ダクト２９を具備したものであり、溶湯ポット移動車が移動できる溶湯ポット移動車床面部２３は図６に図示したように傾斜通路部３９を設けてアルミ素材関連床面部１９よりアルミ溶解炉１３の背面に備えた溶湯取出口２２より溶湯を溶湯ポットに収納することが出来るように低くしたものであり、よって溶湯ポット移動車床面部２３の一方は溶湯ポット乗降床面部１８よりも低い位置に形成したものであるがアルミニユムの溶湯ポットの搬出入用トラック（図示せず）に溶湯ポットを適宜手段で乗せることができるようにしたものである。
【実施例２】
【００２１】
又、コンクリート床面部１の表面に、アルミ溶解炉１３のアルミ素材投入開閉口に対応して設けたアルミ素材搬入扉１７の前方位置の表面幅部３０を除き床ペイントを塗着した塗料層３１を設けたものである。
【実施例３】
【００２２】
又、建物体９の屋根材層７に外気取入孔３２を設けると共に外気取入孔３２の一方に空間部８内に外気を噴出する外気噴出部３３を設けると共に他方にはアルミ素材搬入扉１７の前方上部に位置したエアカーテン装置３４と連通した空気ダクト３５を備えたものである。
【実施例４】
【００２３】
又、被覆建物体１６に設けたアルミ素材搬入扉１７には外周には四角状金属製枠体３６を設け、又一方表裏に亘り縦方向に凹部凸部が連続した金属製屈曲板で表側金属製屈曲板３７と裏側金属製屈曲板３８とを形成すると共に表側金属製屈曲板３７と裏側金属製屈曲板３８とを四角状金属製枠体３６に溶着してアルミ素材搬入扉１７を形成し、且つ被服建物体１６に設けたアルミ素材搬入扉１７は及び図１６に図示したように２枚のアルミ素材搬入扉１７、１７が開閉するようにしたものであるとともにかんぬき４４で解錠、止錠ができるようにしたものである。
【図面の簡単な説明】
【００２４】
【図１】この発明の正面図である。
【図２】この発明の背面図である。
【図３】この発明の左側面図である。
【図４】この発明の右側面図である。
【図５】一部を切欠した平面図である。
【図６】図５に於けるＡ−Ａ縦断矢視概念図である。
【図７】図５に於けるＢ−Ｂ縦断矢視概念図である。
【図８】図５に於けるＣ−Ｃ縦断矢視概念図である。
【図９】図５に於けるＤ−Ｄ縦断矢視概念図である。
【図１０】図５に於ける上部を切欠したＥ−Ｅ縦断矢視概念図である。
【図１１】エアカーテン装置の一部を表した被服建物体の正面図である。
【図１２】図１１における鉄扉を開いた状態を表した縦断面図である。
【図１３】被覆建物体とコンクリート床面部に塗着した塗料層との関係を表した一部切欠平面図である。
【図１４】アルミ素材搬入扉に於いて一枚の鉄扉を表した表面図でンある。
【図１５】アルミ素材搬入扉に於いて一枚の鉄扉を表した裏面図でンある。
【図１６】被服建物体に於いてアルミ素材搬入扉を閉じた状態の断面図である。
【図１７】空気取入部の拡大説明である。
【符号の説明】
【００２５】
１  コンクリート床面部
２  周縁部
３  防音壁材層
４  防水壁材層
５  壁面材層
６  防音材層
７  屋根材層
８  空間部
９  建物体
１０  正面壁
１１  第１開閉扉
１２  第２開閉扉
１３  アルミ溶解炉
１４  断熱材層
１５  遮蔽材層
１６  被覆建物体
１７  アルミ素材搬入扉
１８  溶湯ポット乗降床面部
１９  アルミ素材関連床面部
２０  アルミ素材投入車用床面部
２１  予熱場
２２  溶湯取出口
２３  溶湯ポット移動車床面部
２４  地下空間室部
２５  エアーコンプレッサー
２６  天上部
２７  排気孔
２８  集塵機
２９  排気ダクト
３０  表面幅部
３１  塗料層
３２  外気取入孔
３３  外気噴出部
３４  エアカーテン装置
３５  空気ダクト
３６  四角状金属製枠体
３７  表側金属製屈曲板
３８  裏側金属製屈曲板
３９  傾斜通路部
４０  ハシゴ取付部
４１  空気取入部
４２  鉄扉
４３  土地層
４４  かんぬき
４５  第１補助開閉扉
４６  燃焼ガス取入孔                                                    
【図１】
2008161886.tif 000003
【図２】
2008161886.tif 000004
【図３】
2008161886.tif 000005
【図４】
2008161886.tif 000006
【図５】
2008161886.tif 000007
【図６】
2008161886.tif 000008
【図７】
2008161886.tif 000009
【図８】
2008161886.tif 000010
【図９】
2008161886.tif 000011
【図１０】
2008161886.tif 000012
【図１１】
2008161886.tif 000013
【図１２】
2008161886.tif 000014
【図１３】
2008161886.tif 000015
【図１４】
2008161886.tif 000016
【図１５】
2008161886.tif 000017
【図１６】
2008161886.tif 000018
【図１７】
2008161886.tif 000019